(57)【要約】      （修正有）【課題】ユーザに手間を掛けさせることなく、カラーコンタクトレンズを装着した前後における目の辺りの見え方の差異を、画像を通じてユーザに確認させるシミュレーションシステムを提供する。【解決手段】ＰＣ４は、ユーザが選択したコンタクトレンズ画像に対応するカラーコンタクトレンズが右目または左目のみに装着された顔を表す顔画像をサーバ２から受信して、カラーコンタクトレンズが装着されていない顔を表す顔画像に代えて表示する。【選択図】図１
2015090555.tif 000002
【特許請求の範囲】
【請求項１】
サーバおよび端末装置を備えているシミュレーションシステムであって、
上記サーバは、
少なくとも右目および左目を含む顔を表す第１の顔画像を送信する第１の顔画像送信手段と、
それぞれが異なる色に着色されたカラーコンタクトレンズを表す複数のコンタクトレンズ画像を送信するコンタクトレンズ画像送信手段と、
ユーザによって選択された上記コンタクトレンズ画像を特定する情報を受信する受信手段と、
上記情報によって特定された上記コンタクトレンズ画像に対応する上記カラーコンタクトレンズが上記右目または上記左目にのみ装着されている第２の顔画像を送信する第２の顔画像送信手段とを備え、
上記端末装置は、
上記サーバと通信する通信手段と、
上記通信手段を通じて受信された上記第１の顔画像を表示する顔画像表示手段と、
上記通信手段を通じて受信された上記複数のコンタクトレンズ画像を表示するコンタクトレンズ画像表示手段と、
表示中の上記複数のカラーコンタクトレンズのうちいずれか一つをユーザに選択させる選択手段と、
選択された上記コンタクトレンズ画像を特定する情報を上記サーバに送信する情報送信手段と、
表示中の上記第１の顔画像を、上記通信手段を通じて受信された上記第２の顔画像に変更する変更手段とを備えていることを特徴とするシミュレーションシステム。
【請求項２】
上記サーバは、上記情報によって特定される上記コンタクトレンズ画像を上記第１の顔画像に合成することによって、上記第２の顔画像を生成する合成手段をさらに備え、
上記第２の顔画像送信手段は、合成された上記第２の顔画像を上記端末装置に送信することを特徴とする請求項１に記載のシミュレーションシステム。
【請求項３】
上記端末装置は、
上記端末装置のユーザの顔を撮影することによって、当該ユーザの顔を表すユーザ顔画像を生成する撮影手段と、
上記ユーザ顔画像を上記サーバに送信するユーザ顔画像送信手段とをさらに備え、
上記合成手段は、上記通信手段を通じて受信された上記ユーザ顔画像に、上記情報によって特定される上記コンタクトレンズ画像を合成することによって、上記第２の顔画像を生成することを特徴とする請求項２に記載のシミュレーションシステム。
【請求項４】
上記第２の顔画像は、左目または右目のみに上記カラーコンタクトレンズを装着したモデル人物の顔を撮影することによって予め生成されているものであることを特徴とする請求項１に記載のシミュレーションシステム。
【請求項５】
少なくとも右目および左目を含む顔を表す第１の顔画像を表示する顔画像表示工程と、
それぞれが異なる色に着色されたカラーコンタクトレンズを表す複数のコンタクトレンズ画像を表すコンタクトレンズ画像表示工程と、
表示中の上記複数のカラーコンタクトレンズのうちいずれか一つをユーザに選択させるコンタクトレンズ選択工程と、
表示中の上記第１の顔画像を、選択された上記コンタクトレンズ画像に対応する上記カラーコンタクトレンズが上記右目または上記左目にのみ装着されている第２の顔画像に変更する変更工程とを含んでいることを特徴とするシミュレーション方法。
【請求項６】
請求項１から４のいずれか１項に記載のシミュレーションシステムが備えているサーバとしてコンピュータを機能させるためのプログラムであって、コンピュータを上記サーバが備えている上記各手段として機能させるためのプログラム。
【請求項７】
請求項６に記載のプログラムを記録したコンピュータ読み取り可能な記録媒体。
【発明の詳細な説明】
【技術分野】
【０００１】
本発明は、カラーコンタクトレンズの装着状態をシミュレートするためのシミュレーションシステム、シミュレーション方法、プログラム、および記録媒体に関する。
【背景技術】
【０００２】
近年、おしゃれの一環として、カラーコンタクトレンズを愛用する人が増えている。カラーコンタクトレンズの購入希望者には、使いたいカラーコンタクトレンズを購入する前に、実際にそのカラーコンタクトレンズを目に装着すると、自身の目の辺りの見え方がどのように変わって見えるのかを知りたい、という欲求がある。しかし、カラーコンタクトレンズを購入前に試しに目に装着することは、購入希望者にとっては面倒である。また、お試し用のカラーコンタクトレンズを異なる購入希望者間で使い回すことによる衛生上の問題も発生しうる。そこで従来、カラーコンタクトレンズを装着したときの目の辺りの見え方を、画像を通じて確認することができる技術が提案されている。
【０００３】
そのような技術の一例として、特許文献１には、選択されたカラーコンタクトレンズのデータに基づき、画像中の対象者の瞳虹彩部分にカラーコンタクトレンズを装着した状態に加工し、加工された画像を表示する仮想化粧装置が開示されている。特許文献１によれば、この仮想化粧装置は、リアルタイムで画像の入出力を行い、特徴点等をロバストに行うことで、ユーザが自然に装着感を得られる。また、特許文献２には、カラーコンタクトの装着状態の確認に応用可能な、目元メーキャップシミュレーションシステムが開示されている。
【先行技術文献】
【特許文献】
【０００４】
【特許文献１】特開２００７−２１３６２３号公報（２００７年８月２３日公開）
【特許文献２】特開２０００−２８５２２２号公報（２０００年１０月１３日公開）
【発明の概要】
【発明が解決しようとする課題】
【０００５】
しかし、特許文献１の仮想化粧装置を用いるユーザは、カラーコンタクトレンズを装着した前後の目の辺りの見え方の差異を確認するために、表示中の画像を、カラーコンタクトレンズが装着されている画像から、装着されていない画像に切り換える必要がある。これはユーザにとって非常に面倒である。同様の問題は、特許文献２の技術をカラーコンタクトレンズ装着に応用した場合にも生じうる。
【０００６】
本発明は上記の課題を解決するためになされたものであり、その目的は、ユーザに手間を掛けさせることなく、カラーコンタクトレンズを装着した前後における目の辺りの見え方の差異を、画像を通じてユーザに確認させることができる。
【課題を解決するための手段】
【０００７】
本発明に係るシミュレーションシステムは、上記の課題を解決するために、
サーバおよび端末装置を備えているシミュレーションシステムであって、
上記サーバは、
少なくとも右目および左目を含む顔を表す第１の顔画像を送信する第１の顔画像送信手段と、
それぞれが異なる色に着色されたカラーコンタクトレンズを表す複数のコンタクトレンズ画像を送信するコンタクトレンズ画像送信手段と、
ユーザによって選択された上記コンタクトレンズ画像を特定する情報を受信する受信手段と、
上記情報によって特定された上記コンタクトレンズ画像に対応する上記カラーコンタクトレンズが上記右目または上記左目にのみ装着されている第２の顔画像を送信する第２の顔画像送信手段とを備え、
上記端末装置は、
上記サーバと通信する通信手段と、
上記通信手段を通じて受信された上記第１の顔画像を表示する顔画像表示手段と、
上記通信手段を通じて受信された上記複数のコンタクトレンズ画像を表示するコンタクトレンズ画像表示手段と、
表示中の上記複数のカラーコンタクトレンズのうちいずれか一つをユーザに選択させる選択手段と、
選択された上記コンタクトレンズ画像を特定する情報を上記サーバに送信する情報送信手段と、
表示中の上記第１の顔画像を、上記通信手段を通じて受信された上記第２の顔画像に変更する変更手段とを備えていることを特徴としている。
【０００８】
上記の構成によれば、ユーザが端末装置を通じて所望のコンタクトレンズ画像を選択すると、そのコンタクトレンズ画像に対応するカラーコンタクトレンズが右目または左目のみに装着された顔を表す第２の顔画像が、当該端末装置に表示される。ユーザは、表示された第２の顔画像を通じて、カラーコンタクトレンズが装着されていない目の辺りと、装着されている目の辺りとを、一度に視認しながら比較することができる。したがって、両者の見え方を比較するために、カラーコンタクトレンズが目に装着されていない第１の顔画像を、わざわざ切り換え表示する必要がない。
【０００９】
以上のように、本発明に係るシミュレーションシステムによれば、ユーザに手間を掛けさせることなく、カラーコンタクトレンズを装着した前後における目の辺りの見え方の差異を、画像を通じてユーザに確認させることができる。
【００１０】
本発明に係るシミュレーション方法は、上記の課題を解決するために、
少なくとも右目および左目を含む顔を表す顔画像を表示する顔画像表示工程と、
それぞれが異なる色に着色されたカラーコンタクトレンズを表す複数のコンタクトレンズ画像を表すコンタクトレンズ画像表示工程と、
表示中の上記複数のカラーコンタクトレンズのうちいずれか一つをユーザに選択させるコンタクトレンズ画像選択工程と、
表示中の上記第１の顔画像を、選択された上記コンタクトレンズ画像に対応する上記カラーコンタクトレンズが上記右目または上記左目にのみ装着されている第２の顔画像に変更する変更工程とを含んでいることを特徴としている。
【００１１】
上記の構成によれば、上述したシミュレーションシステムと同様の作用効果を奏する。
【００１２】
本発明に係るシミュレーションシステムでは、さらに、
上記サーバは、上記情報によって特定される上記コンタクトレンズ画像を上記第１の顔画像に合成することによって、上記第２の顔画像を生成する合成手段をさらに備え、
上記第２の顔画像送信手段は、合成された上記第２の顔画像を上記端末装置に送信することが好ましい。
【００１３】
上記の構成によれば、第２の顔画像を予めサーバに用意しておく手間を省くことができる効果を奏する。
【００１４】
本発明に係るシミュレーションシステムでは、さらに、
上記端末装置は、
上記端末装置のユーザの顔を撮影することによって、当該ユーザの顔を表すユーザ顔画像を生成する撮影手段と、
上記ユーザ顔画像を上記サーバに送信するユーザ顔画像送信手段とをさらに備え、
上記合成手段は、上記通信手段を通じて受信された上記ユーザ顔画像に、上記情報によって特定される上記コンタクトレンズ画像を合成することによって、上記第２の顔画像を生成することが好ましい。
【００１５】
上記の構成によれば、ユーザは、自身の右目または左目のみにカラーコンタクトレンズが装着された自身の顔を表す第２の顔画像を、見ることができる。したがってユーザは、カラーコンタクトレンズを装着した前後における目の辺りの見え方の差異を、より深く実感することができる。
【００１６】
本発明に係るシミュレーションシステムでは、さらに、
上記第２の顔画像は、左目または右目のみに上記カラーコンタクトレンズを装着したモデル人物の顔を撮影することによって予め生成されているものであることが好ましい。
【００１７】
上記の構成によれば、第１の顔画像にコンタクトレンズ画像を合成して第２の顔画像を生成する必要が無い。そのため、サーバの構成をより簡素にすると共に、処理速度をより向上させることができる。
【００１８】
本発明の各態様に係るシミュレーションシステムが備えているサーバは、コンピュータによって実現してもよく、この場合には、コンピュータを上記サーバが備える各手段として動作させることにより上記サーバをコンピュータにて実現させる制御プログラム、およびそれを記録したコンピュータ読み取り可能な記録媒体も、本発明の範疇に入る。
【発明の効果】
【００１９】
本発明に係るシミュレーションシステムは、ユーザに手間を掛けさせることなく、カラーコンタクトレンズを装着した前後における目の辺りの見え方の差異を、画像を通じてユーザに確認させるという効果を奏する。
【図面の簡単な説明】
【００２０】
【図１】本発明の一実施形態に係るコンタクトレンズ販売システムの要部構成を示すブロック図である。
【図２】本発明の一実施形態に係るコンタクトレンズ販売システムが実行するカラーコンタクトレンズ販売方法の一部の処理の流れを示すフローチャート図である。
【図３】（ａ）は、ＰＣの画面に表示される、カラーコンタクトレンズが装着されていない顔を表す顔画像を示す図であり、（ｂ）は、ＰＣの画面に表示される、カラーコンタクトレンズが左目のみに装着されている顔を表す顔画像を表す図である。
【図４】（ａ）は、スマートフォンの画面に表示される、カラーコンタクトレンズが装着されていない顔を表す顔画像を示す図であり、（ｂ）は、スマートフォンの画面に表示される、カラーコンタクトレンズが左目のみに装着されている顔を表す顔画像を表す図である。
【発明を実施するための形態】
【００２１】
本発明に係る一実施形態について、図１〜図４を参照して以下に説明する。
【００２２】
（コンタクトレンズ販売システム１）
図１は、本発明の一実施形態に係るコンタクトレンズ販売システム１の要部構成を示すブロック図である。この図に示すように、コンタクトレンズ販売システム１（シミュレーションシステム）は、サーバ２、パーソナルコンピュータ４（端末装置）（以下、ＰＣ４と記載）、およびスマートフォン６（端末装置）を備えている。ＰＣ４およびスマートフォン６は、インターネット８を介してサーバ２と通信することができる。本実施形態では、コンタクトレンズ販売システム１の運営者は、サーバ２を通じてカラーコンタクトレンズを通信販売している。カラーコンタクトレンズの購入希望者は、ＰＣ４またはスマートフォン６を用いることによって、コンタクトレンズ販売システム１を通じて所望のカラーコンタクトレンズを購入することができる。以下では、購入希望者を単にユーザと表記する。
【００２３】
（サーバ２）
図１に示すように、サーバ２は、顔画像記憶部２０、コンタクトレンズ画像記憶部２２、顔画像取得部２４、コンタクトレンズ画像取得部２６、ウェブページ生成部２８、通信部３０（第１の顔画像送信手段、第２の顔画像送信手段、コンタクトレンズ画像送信手段、受信手段）、合成部３２（合成手段）を備えている。
【００２４】
（ＰＣ４）
ＰＣ４は、通信部４０（通信手段、情報送信手段）、表示部４２（第１の顔画像表示手段、第２の顔画像表示手段、コンタクトレンズ画像表示手段）、および選択部４４（選択手段）を備えている。図１には、ＰＣ４が備える全部材のうち、本実施形態を説明するために必要な部材のみを図示する。ディスプレイ、キーボード、およびマウスなど、ＰＣ４が備えている一般的なハードウェアについては、図示を省略する。
【００２５】
（スマートフォン６）
スマートフォン６は、通信部６０（通信手段、情報送信手段、ユーザ顔画像送信手段）、表示部６２（第１の顔画像表示手段、第２の顔画像表示手段、コンタクトレンズ画像表示手段、変更手段）、選択部６４（選択手段）、および撮影部６６（撮影手段）を備えている。図１には、スマートフォン６が備える全部材のうち、本実施形態を説明するために必要な部材のみを図示する。ディスプレイ、タッチパネル、および電源ボタンなど、スマートフォン６が備えている一般的なハードウェアについては、図示を省略する。
【００２６】
（カラーコンタクトレンズ購入処理の流れ）
以下では、ユーザがＰＣ４を用いてカラーコンタクトレンズを購入する例を、図２を参照して説明する。本発明の一実施形態に係るコンタクトレンズ販売システム１が実行するカラーコンタクトレンズ販売方法の一部の処理の流れを示すフローチャート図である。図２には、コンタクトレンズ販売システム１によって処理されるカラーコンタクトレンズ販売方法のうち、カラーコンタクトレンズの装着状態をシミュレートするシミュレーション方法の処理の流れのみを図示している。
【００２７】
ユーザは、コンタクトレンズ販売システム１によって提供される所定のカラーコンタクトレンズ販売ウェブサイトにアクセスするように指示する操作を、ＰＣ４に対して行う。この操作を受けて、ＰＣ４のウェブブラウザが、当該ウェブサイト内の所定のウェブページの提供をＰＣ４に対して要求する。
【００２８】
この要求を受けて、サーバ２は、指定されたウェブページを生成してＰＣ４に送信する。その手順は次の通りである。顔画像記憶部２０には、予め、右目および左目のいずれにもカラーコンタクトレンズが装着されていない顔を表す複数の異なる顔画像が記憶されている。これらの顔画像は、各顔画像に対応するモデル人物の実際の顔を撮影することによって、予め生成されたものである。顔画像取得部２４は、これらの顔画像のうちいずれか一つを顔画像記憶部２０から取得し、ウェブページ生成部２８に出力する。
【００２９】
コンタクトレンズ画像記憶部２２には、予め、それぞれが異なる色に着色されたカラーコンタクトレンズを表す複数のコンタクトレンズ画像が記憶されている。コンタクトレンズ画像取得部２６は、コンタクトレンズ画像記憶部２２に記憶されている全てのコンタクトレンズ画像のうち、ＰＣ４の画面に一度に表示される複数のコンタクトレンズ画像を、コンタクトレンズ画像記憶部２２から取得し、ウェブページ生成部２８に出力する。
【００３０】
ウェブページ生成部２８は、入力された一つの顔画像および複数のコンタクトレンズ画像を少なくとも含むウェブページを生成し、通信部３０に出力する。ウェブページには、カラーコンタクトレンズ販売用のインタフェースを構成する各種のオブジェクトも含んでいる。通信部３０は、入力されたウェブページをＰＣ４に送信する。
【００３１】
送信されたウェブページを、ＰＣ４の通信部４０が受信し、表示部４２に出力する。表示部４２は、入力されたウェブページを、図３の（ａ）に示すように表示する。図３の（ａ）は、ＰＣ４の画面に表示される、カラーコンタクトレンズが装着されていない顔を表す顔画像を示す図である。図３の（ａ）に示すウェブページは、一つの顔画像１００、複数の異なるコンタクトレンズ画像１０６ａ〜１０６ｇ、説明欄１０８、ボタン１１０、ボタン１１２、ボタン１１４、およびボタン１１６を含んでいる。
【００３２】
顔画像１００は、右目１０２および左目１０４のいずれにもカラーコンタクトレンズが装着されていない顔を表す画像である。顔画像１００の右隣に、説明欄１０８が表示される。説明欄１０８には、ユーザが選択したコンタクトレンズ画像に対応するカラーコンタクトレンズの説明文が表示される。顔画像１００の左隣にボタン１１０が表示され、右隣にボタン１１２が表示される。ユーザがこのボタン１１０または１１２を押すと、現在表示中の顔画像１００が、右目および左目のいずれにもカラーコンタクトレンズが装着されていない他の顔を表す他の顔画像に切り替わる。
【００３３】
顔画像１００の下部に、複数のコンタクトレンズ画像１０６ａ〜１０６ｇが、横一列に表示される。図３の（ａ）に示す例では、ユーザはまだいずれのコンタクトレンズ画像も選択していない。左端のコンタクトレンズ画像１０６ａに重ねて、ボタン１１４が表示され、右端のコンタクトレンズ画像１０６ｇに重ねて、ボタン１１６が表示される。ユーザがボタン１１４または１１６を押すと、現在表示中の複数のコンタクトレンズ画像１０６ａ〜１０６ｇが、一画像分だけ左または右にスクロール移動して表示され、かつ、他の新たなコンタクトレンズ画像が追加で表示される。これにより、表示中のコンタクトレンズ画像の表示が切り換えられる。
【００３４】
以上のように、ＰＣ４は、図３の（ａ）に示すウェブページを表示することによって、右目１０２および左目１０４のいずれにもカラーコンタクトレンズが装着されていない顔を表す顔画像１００を表示する（ステップＳ１）。さらに、複数の異なるコンタクトレンズ画像も表示する（ステップＳ２）。
【００３５】
ユーザは、右目１０２または左目１０４に装着させたいカラーコンタクトレンズに対応するコンタクトレンズ画像を、表示中の複数のコンタクトレンズ画像から選択する。言い換えると、ＰＣ４の選択部４４は、表示された複数のコンタクトレンズ画像のうちいずれか一つを、ユーザに選択させる（ステップＳ３）。本実施形態では、ユーザはコンタクトレンズ画像１０６ｃを選択する。選択部４４は、ユーザによって選択されたコンタクトレンズ画像１０６ｃを特定する所定の選択情報を生成し、通信部４０に出力する。通信部３０は、入力された選択情報をサーバ２に送信する。
【００３６】
送信された選択情報を、通信部３０が受信し、顔画像取得部２４に出力する。顔画像記憶部２０には、予め、右目１０２または左目１０４のいずれかのみに、コンタクトレンズ画像１０６ｃに対応するカラーコンタクトレンズが装着された顔を表す顔画像１１８も、記憶されている。この顔画像１１８は、右目１０２および左目１０４のうちいずれか一方のみにカラーコンタクトレンズが実際に装着された、顔画像１００に対応するモデル人物の顔を撮影して生成されたものである。顔画像記憶部２０には、一つの顔画像１００に対して、カラーコンタクトレンズ装着済みの顔を表す顔画像１１８が、コンタクトレンズ画像ごとに予め記憶されている。
【００３７】
顔画像取得部２４は、入力された選択情報によって特定されるコンタクトレンズ画像１０６ｃに対応するカラーコンタクトレンズ１２２が左目１０４に装着されている顔を表す顔画像１１８を、顔画像記憶部２０から取得し、通信部３０に出力する。さらに、カラーコンタクトレンズ１２２の説明文を図示しないメモリから取得し、通信部３０に出力する。通信部３０は、入力された顔画像１１８および説明文をＰＣ４に送信する。
【００３８】
ＰＣ４の通信部３０が、送信された顔画像１１８および説明文を受信し、表示部４２に出力する。表示部４２は、顔画像１００の代わりに顔画像１１８を表示する。さらに、選択されたコンタクトレンズ画像１０６ｃを識別表示するための所定の枠１２０を、コンタクトレンズ画像１０６ｃの周囲に表示する。また、コンタクトレンズ画像１０６ｃに対応するカラーコンタクトレンズの説明文を、説明欄１０８内に表示する。その結果、ＰＣ４の画面に表示中のウェブページが、図３（ａ）の示すものから、図３（ｂ）に示すものに切り替わる。すなわち選択部４４は、現在表示中の顔画像１００を、ユーザによって選択されたコンタクトレンズ画像に対応するカラーコンタクトレンズが左目１０４のみに装着された顔を表す顔画像１１８に変更する（ステップＳ４）。図３の（ｂ）は、ＰＣ４の画面に表示される、カラーコンタクトレンズ１２２が左目１０４のみに装着されている顔を表す顔画像１１８を表す図である。
【００３９】
ユーザは、表示された顔画像１１８を通じて、カラーコンタクトレンズ１２２が装着されていない右目１０２の辺りと、装着されている左目１０４の辺りとを、一度に視認しながら比較することができる。したがって、両者の見え方を比較するために、カラーコンタクトレンズが右目１０２および左目１０４のいずれにも装着されていない顔画像１００を、わざわざ切り換え表示する必要がない。その結果、本実施形態に係るコンタクトレンズ販売システム１によれば、ユーザに手間を掛けさせることなく、カラーコンタクトレンズを装着した前後における目の辺りの見え方の差異を、画像を通じてユーザに確認させることができる。
【００４０】
ユーザは、選択したコンタクトレンズ画像に対応するカラーコンタクトレンズを購入するための各種の手続きを、ＰＣ４を操作することによって行う。この手続きとして、任意の公知技術を適宜採用することができるので、その詳細な説明は省略する。こうしてユーザは、カラーコンタクトレンズ装着前後の目の辺りの見え方の差異を確認してからカラーコンタクトレンズを購入することができるので、購入したカラーコンタクトレンズに高確率で満足することができる。
【００４１】
（スマートフォン６の利用）
ユーザがスマートフォン６を用いてカラーコンタクトレンズを購入するとき、スマートフォン６の画面には、図３の（ａ）に示すウェブページの代わりに、図４の（ａ）に示すウェブページが表示される。図４の（ａ）は、スマートフォン６の画面に表示される、カラーコンタクトレンズが装着されていない顔を表す顔画像１００を含むウェブページを示す図である。また、図３（ｂ）に示すウェブページの代わりに、図４の（ｂ）に示すウェブページが表示される。図４の（情報送信手段）は、スマートフォン６の画面に表示される、カラーコンタクトレンズ１２２が左目１０４のみに装着されている顔を表す顔画像１１８を表す図である。
【００４２】
スマートフォン６の画面は、ＰＣ４のそれに比べると大幅に小さい。そのためスマートフォン６は、図４の（ａ）および（ｂ）に示すように、スマートフォン６の画面の大きさに合わせたレイアウトのウェブページを表示する。たとえば、説明欄１０８は顔画像１００の横ではなく上部に表示され、また、一度に表示されるコンタクトレンズ画像１０６の数は、ＰＣ４の場合よりも少ない。ただし、ユーザがカラーコンタクトレンズを購入するためのインタフェースを構成するために不可欠なオブジェクトは、全て表示する。
【００４３】
（画像合成）
サーバ２は、顔画像記憶部２０に予め記憶されている顔画像１１８の代わりに、顔画像１００にコンタクトレンズ画像１０６ｃを合成することによって、ＰＣ４に提供する顔画像１１８を動的に合成することもできる。この場合のサーバ２における処理の詳細について、以下に説明する。
【００４４】
まず、通信部３０は、受信した選択情報をコンタクトレンズ画像取得部２６に出力する。コンタクトレンズ画像取得部２６は、入力された選択情報によって特定されるコンタクトレンズ画像１０６ｃをコンタクトレンズ画像記憶部２２から取得し、合成部３２に出力する。顔画像取得部２４は、ＰＣ４に送信された顔画像１００を、合成部３２にも出力する。
【００４５】
合成部３２は、入力されたコンタクトレンズ画像１０６ｃを、入力された顔画像１００に合成することによって、顔画像１１８を生成する。その際、合成部３２は、顔画像１００における、左目１０４内の虹彩を表す箇所を所定の画像処理によって特定し、その箇所にコンタクトレンズ画像１０６ｃを合成する。これにより、実際にカラーコンタクトレンズを左目１０４に装着した人物の顔を撮影して生成した顔画像１１８と遜色のない顔画像１１８を、生成する。合成部３２は、生成した顔画像１１８を通信部３０に出力する。通信部３０は、合成された顔画像１１８をＰＣ４に送信する。
【００４６】
このような工夫によって、サーバ２には、コンタクトレンズ画像１０６ｃに対応するカラーコンタクトレンズが左目１０４に装着された顔を表す顔画像１１８を、事前に用意しておく手間を省くことができる。コンタクトレンズ画像１０６ｃ以外のコンタクトレンズ画像の場合も、同様である。すなわち、顔画像記憶部２０には、カラーコンタクトレンズがまったく装着されていない顔を表す顔画像さえ用意しておけばよいので、顔画像記憶部２０の記憶容量を節約することもできる。
【００４７】
（ユーザの顔画像）
サーバ２は、顔画像記憶部２０に予め記憶されている顔画像１１８の代わりに、スマートフォン６のユーザの顔を表すユーザ顔画像にコンタクトレンズ画像１０６ｃを合成することによって、スマートフォン６に提供する顔画像１１８を動的に合成することもできる。この場合のコンタクトレンズ販売システム１における処理の詳細について、以下に説明する。
【００４８】
まず、スマートフォン６のユーザは、スマートフォン６を用いて自身の顔を撮影する。このとき、スマートフォン６の撮影部６６が、スマートフォン６に備えられている図示しないカメラを用いてユーザの顔を撮影することによって、ユーザの顔を表すユーザ顔画像を生成する。撮影部６６は、生成したユーザ顔画像を通信部６０に出力する。通信部６０は、入力されたユーザ顔画像をサーバ２に送信する。ここで、撮影部６６は、生成したユーザ顔画像を表示部６２に出力してもよい。この場合、表示部６２は、サーバ２から送信された顔画像１００の代わりに、入力されたユーザ顔画像を表示する。これにより、ユーザは、カラーコンタクトレンズが装着されていない自身の顔を表すユーザ顔画像を見ながら、所望のコンタクトレンズ画像を一つ選択することできる。
【００４９】
サーバ２の通信部３０が、スマートフォン６から送信されたユーザ顔画像を受信し、合成部３２に出力する。合成部３２は、ユーザ顔画像を一時的に保持する。コンタクトレンズ画像取得部２６は、入力された選択情報によって特定されるコンタクトレンズ画像１０６ｃを、合成部３２に出力する。合成部３２は、入力されたコンタクトレンズ画像１０６ｃを、入力されたユーザ顔画像に合成することによって、顔画像１１８を生成する。その際、合成部３２は、ユーザ顔画像における、ユーザの左目内の虹彩を表す箇所を所定の画像処理によって特定し、その箇所にコンタクトレンズ画像１０６ｃを合成する。これにより、実際にカラーコンタクトレンズを左目のみに装着したユーザの顔を撮影して生成した顔画像１１８と遜色のない顔画像１１８を、生成する。合成部３２は、生成した顔画像１１８を通信部３０に出力する。通信部３０は、合成された顔画像１１８をＰＣ４に送信する。
【００５０】
このような工夫によって、ユーザは、自身の左目のみにカラーコンタクトレンズが装着された自身の顔を表す顔画像を、見ることができる。したがってユーザは、カラーコンタクトレンズを装着した前後における目の辺りの見え方の差異を、より深く実感することができる
一方、コンタクトレンズ画像１０６ｃを、ユーザの顔を撮影した生成した顔画像１００に合成するのではなく、予め右目１０２または左目１０４のみにカラーコンタクトレンズを装着したモデル人物の顔を撮影することによって生成した顔画像１１８を表示する場合、画像合成の手間が生じない。そのため、サーバ２の構成をより簡素にできると共に、処理速度もより向上させることができる。
【００５１】
（プログラムおよび記録媒体）
サーバ２の制御ブロックは、集積回路（ＩＣチップ）等に形成された論理回路（ハードウェア）によって実現してもよいし、ＣＰＵ（Central Processing Unit）を用いてソフトウェアによって実現してもよい。
【００５２】
後者の場合、サーバ２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００５４】
たとえば、顔画像１００は、右目１０２および左目１０４のうち少なくともいずれかにカラーコンタクトレンズが装着された顔を表すものであってもよい。すなわち、ユーザが最初にカラーコンタクトレンズ画像１０６を選択する際に表示される顔画像１００によって表される顔は、カラーコンタクトレンズが装着されたものであっても、されていないものであってもよい。合成部３２は、左目１０２または右目１０４のみにカラーコンタクトレンズが装着された顔画像１００に、コンタクトレンズ画像１０６ｃを合成することによっても、顔画像１１８を生成することができる。
【００５５】
また、ユーザがコンタクトレンズ画像１０６ｃを選択した後にＰＣ４またはスマートフォン６に表示される顔画像１１８は、左目１０４ではなく右目１０２のみにカラーコンタクトレンズが装着された顔を表すものであってもよい。すなわち、ＰＣ４またはスマートフォン６は、右目１０２または左目１０４のいずれかのみにカラーコンタクトレンズが装着された顔を表す顔画像１１８を表示すればよい。
【００５６】
また、表示部６２は、顔画像１１８内のユーザの顔の大きさが実際のユーザの顔の大きさに一致するように、顔画像１１８を拡大表示してもよい。これにより、ユーザは、自身が実際にカラーコンタクトレンズを右目または左目に装着して鏡を見ながら目の辺りの見え方を確認しているように感じることができる。
【００５７】
また、本発明の実施態様は、上述した実施形態に掛かるコンタクトレンズ販売システム１に限られていない。もっとも広い意味では、本発明は、カラーコンタクトレンズの装着状態をシミュレートするためのシミュレーションシステム、および当該シミュレーションシステムにおけるシミュレーション方法として実現される。すなわち、カラーコンタクトレンズをユーザに販売することなく、単に、カラーコンタクトレンズの装着状態を、顔画像を通じてユーザに確認させるシミュレーションシステムおよびシミュレーション方法も、本発明の技術的範囲に含まれる。
【産業上の利用可能性】
【００５８】
本発明は、カラーコンタクトレンズの装着状態をシミュレートするためのシステム、および、カラーコンタクトレンズを販売するシステムとして、幅広く利用することができる。
【符号の説明】
【００５９】
１  コンタクトレンズ販売システム（シミュレーションシステム）
２  サーバ
４  ＰＣ（端末装置）
６  スマートフォン（端末装置）
８  インターネット
２０  顔画像記憶部
２２  コンタクトレンズ画像記憶部
２４  顔画像取得部
２６  コンタクトレンズ画像取得部
２８  ウェブページ生成部
３０  通信部（第１の顔画像送信手段、第２の顔画像送信手段、コンタクトレンズ画像送信手段）
３２  合成部（合成手段）
４０  通信部（通信手段、情報送信手段）
４２  表示部（第１の顔画像表示手段、コンタクトレンズ画像表示手段、変更手段）
４４  選択部（選択手段）
６０  通信部（通信手段、情報送信手段）
６２  表示部（第１の顔画像表示手段、コンタクトレンズ画像表示手段、変更手段）
６４  選択部（選択手段）
６６  撮影部（撮影手段）
【図１】
2015090555.tif 000003
【図２】
2015090555.tif 000004
【図３】
2015090555.tif 000005
【図４】
2015090555.tif 000006